(57)【要約】      （修正有）【課題】電子装置に関し、外部から受ける衝撃及び力に対して強い構造を提供する。【解決手段】合成樹脂製ケース本体３０と合成樹脂製の蓋４０とよりなる直方体形状のケース５０の内部に、電子モジュール６０が組み込んである。電子モジュール６０は金属板製のシールドケース６３を有する。ケース本体３０の内部に形成してあるリブ群３６と蓋４０に形成してあるリブ群４６とがシールドケース６３を挟むように支持する。即ち、シールドケース６３は底板部６６を複数の細いリブ３７によって分散して支持され、天板部６７を複数の細いリブ４７によって分散して支持されている。【選択図】        図２
2004221421.tif 000002
【特許請求の範囲】
【請求項１】
プリント基板に電子部品が実装され且つ該プリント基板に箱形状のシールドケースが固定されて上記電子部品を覆っている構成の電子モジュールが、合成樹脂製の第１の部材と第２の部材とが組合わされてなるケースの内部に組み込まれた構成の電子装置において、
上記第１の部材に突き出て形成してあるリブと上記第２の部材に突き出て形成してあるリブとが、上記電子モジュールのうちシールドケースを挟んで支持する構成としたことを特徴とする電子装置。
【請求項２】
請求項１記載の電子装置において、上記リブは、上記シールドケースの底板部及び天板部のうち、縁の部分を挟んで支持する構成としたことを特徴とする電子装置。
【請求項３】
請求項１記載の電子装置において、上記リブは複数並んでおり、複数のリブが上記シールドケースを挟んで支持する構成としたことを特徴とする電子装置。
【請求項４】
請求項３記載の電子装置において、複数並んでいる各リブは、上記シールドケースを歪ませる前に、潰れるように変形される形状であることを特徴とする電子装置。
【発明の詳細な説明】
【０００１】
【発明の属する技術分野】
本発明は電子装置に係り、特に電子モジュールが、合成樹脂製のケース半体が組合わされてなるケースの内部に組み込まれた構成の電子装置に関する。
【０００２】
【従来の技術】
図９は従来の電子装置１を示す。電子装置１は、合成樹脂製のケース半体２、３が組合わされてなるケース４の内部に、電子モジュール５が組み込まれた構成である。電子モジュール５は、プリント基板６に複数の電子部品７が実装され且つプリント基板６にシールドケース８が固定されてシールドケース８が複数の電子部品７をシールドしている構成である。電子モジュール５は、ケース半体２の内部に形成してあるリブ２ａとケース半体３の内部に形成してあるリブ３ａとによってプリント基板６の部分を挟まれて支持されている。
【０００３】
【発明が解決しようとする課題】
電子装置１の各部は、電子装置１が乱暴に扱われても不都合が生じないように構成してある。しかし、特に小型の電子装置１の場合には、人が乗ったり、足で踏みつけられたりして、ケース４に予想を越えた強い外力が作用することがありうる。
【０００４】
上記の従来の電子装置１では、ケース半体２、３のリブ２ａ、３ａがプリント基板６に当っているため、ケース４に予想を越えた強い外力が作用してケース４が変形した場合に、ケース４の変形がリブ２ａ、３ａを介してプリント基板６に直接に伝わり、プリント基板６が撓まされ、電子部品７にクラックが入って破損したりして、電子装置１が故障してしまう可能性がある。
【０００５】
そこで、本発明は上記課題を解決した電子装置を提供することを目的とする。
【０００６】
【課題を解決するための手段】
請求項１の発明は、プリント基板に電子部品が実装され且つ該プリント基板に箱形状のシールドケースが固定されて上記電子部品を覆っている構成の電子モジュールが、合成樹脂製の第１の部材と第２の部材とが組合わされてなるケースの内部に組み込まれた構成の電子装置において、
上記第１の部材に突き出て形成してあるリブと上記第２の部材に突き出て形成してあるリブとが、上記電子モジュールのうちシールドケースを挟んで支持する構成としたものである。
【０００７】
ケースに作用した外力をシールドケースが受け、プリント基板はシールドケースが歪まない限り撓まないようになり、プリント基板は撓みにくくなる。
【０００８】
請求項２の発明は、請求項１記載の電子装置において、上記リブは、上記シールドケースの底板部及び天板部のうち、縁の部分を挟んで支持する構成としたものである。
【０００９】
ケースに作用した外力をシールドケースのうち強度の高い部分で受けるようになり、プリント基板は更に撓みにくくなる。
【００１０】
請求項３の発明は、請求項１記載の電子装置において、上記リブは複数並んでおり、複数のリブが上記シールドケースを挟んで支持する構成としたものである。
【００１１】
複数のリブが上記シールドケースを挟んで支持することによって、シールドケースはケースに作用した外力を分散して受けることになり、シールドケースは更に歪みにくくなり、プリント基板は更に撓みにくくなる。
【００１２】
請求項４の発明は、請求項３記載の電子装置において、複数並んでいる各リブは、上記シールドケースを歪ませる前に、潰れるように変形される形状としたものである。
【００１３】
リブが潰れるように変形されることによって、シールドケースに作用した強い衝撃を吸収して、シールドケースが歪むことを抑制され、プリント基板は撓みにくくなる。
【００１４】
【発明の実施の形態】
以下、図面と共に本発明の一実施例について説明する。図１乃至図５は本発明の一実施例になるテレビゲーム装置用受信機２０を示す。
【００１５】
説明の便宜上、先ず、テレビゲーム装置用受信機２０が使用されるテレビゲーム装置について説明する。受信機２０は、図８に示すようにテレビゲーム装置１０にコネクタ接続されて使用される。説明の便宜上、テレビゲーム装置１０について説明する。テレビゲーム装置１０は、ゲーム機本体１２と、ゲーム機本体１２に対して制御信号を無線で送信するコントローラ（入力装置）１４とから構成されている。ゲーム機本体１２は、上面に電源スイッチ１５と、テレビゲームの制御プログラムが記憶されたディスク（ＣＤ−ＲＯＭ）が装着されるディスク装着部１６とが設けられている。この受信機用コネクタ１８には、コントローラ１４から送信された制御信号（電波）を受信するテレビゲーム装置用受信機２０が接続されている。尚、受信機用コネクタ１８は、ケーブル接続用のものであり、ケーブル式のコントローラも接続することが可能になっている。また、ゲーム機本体１２は、ケーブル２２を介してテレビジョン装置２４に接続されている。このテレビジョン装置２４は、通常のテレビ放送を見られるようにテレビチューナを内蔵しており、ビデオチャンネルに切り替えることでゲーム機本体１２から転送されたゲーム画像（動画）を画面上に表示する。コントローラ１４は、箱型に形成された樹脂製の筐体２６の上面にＸ−Ｙ方向の操作キー２８と、３種類の操作釦３０が設けられている。また、コントローラ１４の筐体２６の内部には、送信機（図示せず）が収納されている。
【００１６】
次にテレビゲーム装置用受信機２０について説明する。
【００１７】
図１は受信機２０の外観を示す図であり、（Ａ）は背面図、（Ｂ）は側面図、（Ｃ）は正面図である。図２は図１（Ａ）中、ＩＩ−ＩＩ線に沿う断面図、図３は図１（Ａ）中、ＩＩＩ−ＩＩＩ線に沿う断面図、図４は受信機２０を分解して示す図、図５は蓋４０を開けた状態を示す図である。Ｘ１−Ｘ２は受信機２０の幅方向、Ｙ１−Ｙ２は長手方向、Ｚ１−Ｚ２は高さ方向である。
【００１８】
図１（Ａ）〜（Ｃ）に示されるように、受信機２０は、直方体形状の合成樹脂製のケース５０の内部に、図４に示す電子モジュール６０が組み込んであり、且つ、プラグ部７０が背面側である蓋４０より突き出ており、且つ、前面側に、起動中であることを表示する発光ダイオード（ＬＥＤ）８１が設けられている構成である。ケース５０は、第１の部材としての箱形状の合成樹脂製ケース本体３０と第２の部材としての合成樹脂製の蓋４０とよりなる構造である。
【００１９】
電子モジュール６０は、図２、図３及び図４に示すように、プリント基板６１に複数の電子部品６２が実装してあり、このプリント基板６１に、直方体形状のシールドケース６３が電子部品６２を覆うように固定してある構成である。シールドケース６３は、プリント基板６１に固定してある箱形状のシールドケース本体６４と、シールドケース本体６４に嵌合してある蓋部材６５とよりなり、プリント基板６１の一部を包み込んでいる。シールドケース本体６４及び蓋部材６５は共に金属板製であり、堅牢である。６６はシールドケース６３の底板部、６７はシールドケース６３の天板部である。電子モジュール６０とプラグ部７０とは、ケーブル８２で接続してある。
【００２０】
ここで、上記の受信機２０は小型であるので、人が乗ったり、足で踏みつけられたりして、ケース５０に予想を越えた強い外力が作用することがありうることを考慮して、電子モジュール６０は以下に説明するようにケース５０の内部に組み込まれて支持されている。
【００２１】
即ち、ケース本体３０には、シールドケース６３に合わせて、図４に示すようにリブ群３１，３６が形成してあり、蓋４０には、同じくシールドケース６３に合わせて、図５示すようにリブ群４１，４６が形成してある。図６はリブ群３１、３６、４１、４６を取り出して、シールドケース６３と対応させて示す。リブ群３１、３６、６１、６６は、夫々Ｘ１−Ｘ２方向に長いリブ３２、３７，４２，４７が、複数、Ｙ１−Ｙ２方向に並んでいる構成である。リブ群３１はケース本体３０の底板部３０ａのうちＸ２側の縁に沿って形成してあり、リブ群３６はケース本体３０の底板部３０ａのうちＸ１側の縁に沿って形成してある。リブ群４１は蓋４０の裏面のうちＸ２側の縁に沿って形成してあり、リブ群４６は蓋４０の裏面のうちＸ１側の縁に沿って形成してある。各リブ３２、３７，４２，４７のサイズは、Ｙ１−Ｙ２方向の寸法である幅寸法がＷであり細く、強い圧縮力が作用した場合に、シールドケース６３が潰される前にリブ３２、３７，４２，４７自体が潰れるようになっている。
【００２２】
図２、図３及び図６に示すように、電子モジュール６０は、シールドケース６３をリブ群３１、３６とリブ群４１、４６とによって挟まれて、ケース５０の内部に支持されている。リブ群３１は底板部６６のうちＸ２側の縁を支持し、リブ群４１は天板部６７のうちＸ２側の縁を支持し、リブ群３２は底板部６６のうちＸ１側の縁を支持し、リブ群４６は天板部６７のうちＸ１側の縁を支持する。即ち、シールドケース６３は、底板部６６のうちＸ２側の縁を複数の細いリブ３２によって分散して支持され、底板部６６のうちＸ１側の縁を複数の細いリブ３７によって分散して支持され、且つ、天板部６７のうちＸ２側の縁を複数の細いリブ４２によって分散して支持され、天板部６７のうちＸ１側の縁を複数の細いリブ４７によって分散して支持されている。
【００２３】
次に、ケース５０に強い外力又は衝撃が作用した場合における電子モジュール６０への影響について説明する。
【００２４】
ケース５０に強い外力が作用してケース５０が歪むと、リブ群３１、３６、４１、４６がシールドケース６３をこれを押しつぶすように押す。一方、電子モジュール６０は、シールドケース６３が歪んだ場合に、プリント基板６１が撓まされる。
【００２５】
ここで、第１にはシールドケース６３は金属板製の箱形状であり堅牢であることにより、第２には力はシールドケース６３のうち縁の部分に作用することにより、第３には力が分散して作用することによって、シールドケース６３は歪み難い。よって、ケース５０に強い外力が作用した場合において、この外力はシールドケース６３によって分散して受け止められ、ケース５０が歪むことが抑制される。これによって、プリント基板６１が撓まされることが抑制され、電子部品６２にクラックが入って破損して受信機２０が故障してしまう事故は起きない。
【００２６】
ケース５０に特に強い外力が作用した場合には、図７に符号３７ａ，４７ａで示すように、シールドケース６３が潰される前にリブ３２、３７，４２，４７自体が潰れる。このように、リブ３２、３７，４２，４７自体が潰れることによって、シールドケース６３が歪むことが制限され、よって、プリント基板６１が撓まされることが抑制され、電子部品６２にクラックが入って破損して受信機２０が故障してしまう事故が防止される。即ち、リブ３２、３７，４２，４７自体が潰れることによるクッションによって、強い外力が吸収され、プリント基板６１が撓まされることが抑制されて受信機２０が故障してしまう事故が防止される。なお、リブ３２、３７，４２，４７自体が潰れて発揮するクッション作用は一度だけに限られるけれども、故障防止には効果的である。
【００２７】
ケース５０に強い衝撃が作用した場合にも、上記と同様にして、受信機２０が故障してしまう事故が防止される。
【００２８】
なお、電子モジュール６０のシールドケース６３をリブ３２、３７，４２，４７でもって挟んで支持する構成は、テレビゲーム装置用受信機２０に限らず、一般の小型の機器にも適用可能である。
【００２９】
【発明の効果】
上述の如く、本発明によれば、電子モジュールが、合成樹脂製の第１の部材と第２の部材とが組合わされてなるケースの内部に組み込まれた構成の電子装置において、第１の部材に突き出て形成してあるリブと第２の部材に突き出て形成してあるリブとが、電子モジュールのうちシールドケースを挟んで支持する構成としたものであるため、ケースに作用した外力をシールドケースが受け、プリント基板はシールドケースが歪まない限り撓まないようになり、ケースに作用した外力を直接にプリント基板で受ける構造に比べて、ケースに強い衝撃又は外力が作用した場合のプリント基板の撓みの程度を小さく抑えることが出来、電子装置に故障が起きにくく出来、電子装置の信頼性の向上を図ることが出来る。
【図面の簡単な説明】
【図１】本発明の一実施例になるテレビゲーム装置用受信機を示す図である。
【図２】図１（Ａ）中、ＩＩ−ＩＩ線に沿う断面図である。
【図３】図１（Ａ）中、ＩＩＩ−ＩＩＩ線に沿う断面図である。
【図４】テレビゲーム装置用受信機を分解して示す斜視図である。
【図５】蓋を開けた状態のテレビゲーム装置用受信機を示す斜視図である。
【図６】ケース内のリブ群を取り出して、シールドケースと対応させて示す図である。
【図７】強い衝撃を受けた場合のリブの潰れを説明する図である。
【図８】テレビゲーム装置用受信機が使用されるテレビゲーム装置を示す図である。
【図９】従来の電子装置を示す断面図である。
【符号の説明】
１０  テレビゲーム装置
２０  テレビゲーム装置用受信機
３０  ケース本体
３１，３６  リブ群
３２、３７  リブ
４０  蓋
４１，４６  リブ群
４２、４７  リブ
５０  ケース
６０  電子モジュール
６１  プリント基板
６２  電子部品
６３  シールドケース
６４  シールドケース本体
６５  蓋部材
６６  底板部
６７  天板部
【図１】
2004221421.tif 000003
【図２】
2004221421.tif 000004
【図３】
2004221421.tif 000005
【図４】
2004221421.tif 000006
【図５】
2004221421.tif 000007
【図６】
2004221421.tif 000008
【図７】
2004221421.tif 000009
【図８】
2004221421.tif 000010
【図９】
2004221421.tif 000011